Podtech/llm-jp-corpus-v4-ja_patent huggingface dataset:
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
生体組織内に挿入される針構造であって、前記針構造の側部に配置された空洞を持つ、針構造と、
一方の端部において外部にアクセス可能であり、反対側の端部において光ポートに接続される複数の光ファイバであって、前記空洞の第１の側において前記複数の光ファイバの１つに光信号を印加し、前記空洞の反対側において前記複数の光ファイバの他のものにおいて光応答を検出すると、前記空洞内に存在する生体組織の光プロービングを可能にするために、前記光ポートが、前記空洞の反対側において前記針構造の表面部分に空間的に分布している、前記光ファイバと、
を有する介入装置。
【請求項２】
生体組織内に挿入される針構造であって、前記針構造の側部に配置された空洞を持つ、針構造と、
一方の端部において外部にアクセス可能であり、反対側の端部において光ポートに接続される複数の光ファイバであって、前記空洞の第１の側において前記複数の光ファイバの１つに光信号を印加し、前記空洞の反対側において前記複数の光ファイバの他のものにおいて光応答を検出すると、前記空洞内に存在する生体組織の光プロービングを可能にするために、前記光ポートが、前記空洞の反対側において前記針構造の表面部分に空間的に分布している、前記光ファイバと、
を有する介入装置において、
前記針構造が、中空の空間として前記空洞を形成する壁を持つスリーブを有し、前記複数の光ファイバが、少なくとも部分的に前記空洞の前記壁の構造内に配置される、介入装置。
【請求項３】
少なくとも第１の光ポートが、光信号を印加すると、前記スリーブの長手方向の延在に垂直な方向に前記スリーブの外の光を向けるように、前記壁の表面部分に配置され、少なくとも第２の光ポートが、前記スリーブの側部に位置する前記空洞内に存在する生体組織からの前記光に対する光応答の受信を可能にするように、前記壁の他の表面部分に配置される、請求項２に記載の介入装置。
【請求項４】
前記少なくとも第１の光ポートは、前記光ファイバに沿ったベクトルが前記少なくとも第１の光ポートにおいて前記スリーブの外を指すように、らせんパターンの少なくとも一部に従って前記スリーブの前記壁の構造内に配置される光ファイバに接続される、請求項３に記載の介入装置。
【請求項５】
前記光ポートが、前記空洞の異なる長手方向の位置をカバーするように空間的に分布している、請求項２に記載の介入装置。
【請求項６】
前記介入装置が、生検装置を有し、
前記生検装置の前記針構造が、生体組織内に挿入され、前記生体組織の生検を取るように構成され、前記空洞は、負圧の印加に対して前記生体組織の一部が吸い込まれることができるように構成され、前記針構造は、負圧の印加に対して前記生検が吸い込まれることができる孔を有し、
前記複数の光ファイバの１つに光信号を印加し、前記複数の光ファイバの他のものにおいて光応答を検出すると、前記空洞内に存在する生体組織の光プロービングを可能にするために、前記光ポートが、前記空洞の異なる長手方向の位置をカバーするように空間的に分布している、
請求項２に記載の介入装置。
【請求項７】
複数の光ポートが、前記空洞内に存在する生体組織の全体積の光プロービングを可能にするように、前記空洞に沿って配置される、請求項６に記載の介入装置。
【請求項８】
前記光ファイバが、前記針構造の回転軸に沿って、前記針構造の栓塞子の壁内に配置される、請求項２に記載の介入装置。
【請求項９】
前記光ポートが、前記針構造の栓塞子の壁におけるそれぞれの開口として形成される、請求項２に記載の介入装置。
【請求項１０】
前記光ポートが、光学的に透明な樹脂、光学的に散乱する樹脂の１つにより密閉される開口として形成される、請求項２に記載の介入装置。
【請求項１１】
複数の光ポートが、前記針構造の長手軸と平行な第１の直線上に配置され、複数の光ポートが、前記第１の線と平行な第２の直線上に配置される、請求項２に記載の介入装置。
【請求項１２】
前記介入装置が、少なくとも１つの光源及び光検出器を持つコンソールを有し、前記コンソールが、前記光源から前記光ポートの第１の選択への光信号の放射を可能にし、前記光ポートの第２の選択からの光の受信を可能にするように、前記光ファイバに接続するように構成される、請求項２に記載の介入装置。
【請求項１３】
前記介入装置が、少なくとも１つの光源及び光検出器を持つコンソールを有し、前記コンソールが、前記光源から前記光ポートの第１の選択への光信号の放射を可能にし、前記光ポートの第２の選択からの光の受信を可能にするように、前記光ファイバに接続するように構成され、
前記コンソールが、前記光ポートの前記第２の選択から受信された光信号のスペクトルコンテンツのそれぞれの測定値を決定することができるプロセッサを有し、前記コンソールが、前記針構造の前記空洞内の異なる長手方向の位置に存在する前記生体組織のそれぞれの状態を示す出力を生成する、請求項２に記載の介入装置。
【手続補正書】
【提出日】平成28年12月9日(2016.12.9)
【手続補正１】
【補正対象書類名】明細書
【補正対象項目名】００２４
【補正方法】変更
【補正の内容】
【００２４】
図５〜図８は、ポッドホルダマウント１０２内の交互の流体通路４，１４のうちの他方を通じて第１の方向と反対の第２の方向で抽出チャンバ内の円筒形状のコーヒーポッド１１２内へ水を注入するとともに該コーヒーポッド１１２からコーヒーを抽出するように構成されるシステム１００を示す。この形態において、圧力プレート１０８は、圧力プレートマウント１０４の水入口ポート１に流体接続可能な外部水コネクタ１０を有する。図８に示されるように、圧力プレート１０８は、ポッドホルダマウント１０２内の流体通路１４に流体接続可能な外部流体コネクタ１５を有する。ポッドホルダマウント１０２内の他方の流体通路４は、図７に示されるように圧力プレート１０８の本体によって隠され或いは塞がれる。ポッドホルダマウント１０２の開放した流体通路１４は、ポッドホルダ６に設けられる外部流体コネクタ１３に流体接続される。閉位置では、ポッドホルダ６が圧力プレートマウント１０８内の内部流体通路１１に流体接続される。第２の方向で流体の流れを許容するための流体経路は、内部流体通路１１をコーヒー出口ポート９に流体接続する圧力プレートマウント１０８に設けられる外部流体コネクタ１６によって完成される。
【手続補正２】
【補正対象書類名】明細書
【補正対象項目名】００２６
【補正方法】変更
【補正の内容】
【００２６】
特定の実施形態において、ポッドホルダ６は、コーヒーポッド１１０を圧力プレート１０８へ向けて前方に運ぶためにポッドホルダマウント（または注入クレードル）１０２に嵌まり込む円筒形状部品である。ポッドホルダは、ポッドホルダマウント１０２に嵌まり込むとともに、ねじれて所定の位置にロックする。ポッドホルダ６がポッドホルダマウント１０２のクレードルと接続してロックすると、ポッドホルダ６は、水入口経路と位置合わせされて、ポッドホルダ６が保持するポッド１１０内へ向けて水がポッドホルダ６を通過できるようにする。ポッド１１０はポッドホルダ６内に位置するときに孔が開けられ（穿孔され）、それによって水が通過でき、また、注出ポッドプッシャ１０９は、使用されるポッド１１０を排出するべく引き込まれるときにポッドホルダを貫通する。ポッドホルダ６は、任意の全ての形状に形成され得るとともに、任意のタイプまたはブランドの市販のコーヒーポッド１１０を受け入れるようなサイズに寸法付けられる。置き換え可能な圧力プレート１０８は、ポッドホルダマウント１０２とは反対の端部でコーヒーマシン注入システム１００の前部に挿入される。圧力プレート１０８は、サイズが適合するポッドホルダ６を受け入れるべく多くの異なるサイズへと置き換え可能となり得る。圧力プレート１０８はポッドホルダ６と適合する位置へ挿入され、また、注入システム１００は、注入される閉位置にあるときに、ポッドホルダおよび圧力プレートを一緒に閉じて、ポッド１１０のためのシールチャンバを形成し、それにより、コーヒーの形成のために熱水をポッドに注入できるようにする。
【手続補正３】
【補正対象書類名】明細書
【補正対象項目名】００２８
【補正方法】変更
【補正の内容】
【００２８】
コーヒーポッド１１０は前から或いは後ろから注入され、コーヒーポッドをそれらの設計された水方向とは異なって注入すると、注入の不具合を引き起こす。両方向で注入できる能力は、マルチポッド形態がポッド１１０をそれらの設計のとおりに正確に注入できるようにする。ポッド１１０は、ポッドホルダ６内へ挿入されるときに穿孔され、それぞれのバージョンは、全てのポッド６の挿入が穿孔順序と適合してなされるそれ自体の穿孔パターンを有する。ポッドホルダ６がポッドホルダマウント１０２内に挿入されて所定の位置にロックされ、これは、ひいては、注入されるようになっているポッド１１０に適した水方向をもたらす。作動レバーハンドル１０７は、閉位置にあるときに、ポッドホルダ６を圧力プレート１０８へ向けて前方へスライドさせて所定位置にロックする。ロックされると、いつでもポッド１１０に熱水を注入できる。その後、水は、ポッド１１０内に注入されてコーヒーに染み込み、圧力プレートを通じて加圧下で押し進められる。その後、液状コーヒーがコーヒー注出器へと進み、コーヒー注出器が液状コーヒーをカップへ注出する。ポッドホルダマウント１０２のハンドル１０７を用いてロック位置を解放すると、ポッドホルダ６がスライドして開始位置へ戻る。また、これにより、ポッドホルダ６の中心を貫通するとともに使い尽くされたポッド１１０をいつでも廃棄できる状態で使用済みポッドバスケット内へ押し出すプッシュロッド１０９により、使い尽くされたコーヒーポッド１１０が排出される。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
特定の場所が内視鏡によって既に探査されている第１または「基準探査」の後の少なくとも１つの「新しい探査」中に、前記特定の場所に可撓性内視鏡の手動または自動の再位置決めを可能にする医療システムにして、
ｉ）撮像装置（３）が少なくとも装備される可撓性内視鏡（２）、および場合によっては少なくとも１つのツールまたは器具と、
ｉｉ）表示手段（３’）、および前記内視鏡（３）と関連した移動制御手段（３″）と、
ｉｉｉ）電磁追跡デバイスまたは光ファイバー追跡デバイスなどの、内視鏡（２）の先端（２’）の位置および向きを提供する追跡デバイスまたはシステム（４）と、
ｉｉｉｉ）コンピュータ手段（５）および関連した格納手段と
を備え、
内視鏡（２）の前端または先端（２’）には、電磁センサ（４’）または同様な追跡デバイスが設けられ、電磁センサ（４’）または同様な追跡デバイスが、可撓性内視鏡（２）の先端（２’）にはり付けられまたは取り付けられ、対応する追跡システム（４）が、３Ｄ位置の追跡、およびまた前記先端の向きの追跡を可能にする、医療システム（１）であって、
前記格納手段が、対応する内視鏡先端（２’）の姿勢と共に、その「基準探査」中に可撓性内視鏡を通して取得されるビデオを格納するのに適応しており、前記医療システム（１）が、「新しい探査」可撓性内視鏡ビデオ、および格納された「基準探査」ビデオを１つまたは複数のスクリーン上で、並行して、または、２つの異なるウィンドウ内で表示することができる手段（５、３）をさらに備え、「基準探査」と「新しい探査」との間の内視鏡先端（２″）のライブの向き誤差を計算するように、かつ、コンピュータ手段（５）によって行われ、前述の向き誤差を補償するように画像を回転させ、被験者の身体内で内視鏡（２）の現在の場所に空間的に合致させる「基準探査」の対応する画像を選択する、適応同期アルゴリズムを使用して、人間のユーザによって手動でまたはロボットシステムによって自動的に、ライブの「新しい探査」と格納された「基準探査」との間の同期処理を実現することによって「基準探査」中に既に探査された特定の場所において可撓性内視鏡（２）の再位置決めを行なうように、捕捉されたビデオ画像フレームの各々が、同期して記録される内視鏡先端の姿勢と関連することを特徴とする、医療システム。
【請求項２】
使用される追跡システム（４）または他の追跡システムによってその位置が記録され得る少なくとも２つのマーカー（６）をまた備え、これが、被験者の所与の解剖学的場所に配置されることができ、前記場所が、探査される管状器官に依存し、好ましくは被験者が姿勢を変え得るときに顕著な変形または変位を受けず、前記マーカー（６）が、以前のおよびその後の探査において基準点を与えることを特徴とする、請求項１に記載の医療システム。
【請求項３】
第１または基準探査とその後のまたは新しい探査の両方の間に視認可能な類似の特徴の抽出およびマッチングを行なう、リアルタイム内視鏡ビデオ解析を実現する手段を備えることを特徴とする、請求項１または２に記載の医療システム。
【請求項４】
探査される被験者の身体において特定の対象点を示す第１または基準探査可撓性内視鏡ビデオの１つまたは複数の画像の対話式の仮想タグ付けを行なうために、マウス、パッド、トラックボール、ジョイスティック、または光トラッキングによってなど、ビデオの画素または画素のグループを正確に選択することを可能にするヒューマンインターフェース装置を備え、この仮想タグ付けが、ビデオの任意の選択された画像にタグを付加することを可能にする特定の「基準探査」ビデオ読み出しによって実現されることを特徴とする、請求項１から３のいずれか一項に記載の医療システム。
【請求項５】
探査される被験者の身体における解剖学的、病理学的、または外科的な特定の特徴などの、視認可能な対象点を抽出し、前記特定の対象点を示す「基準探査」可撓性内視鏡ビデオの１つまたは複数の画像に自動仮想タグ付けを実現することができる、ビデオ解析アルゴリズム手段を備えることを特徴とする、請求項１から３のいずれか一項に記載の医療システム。
【請求項６】
基準探査ビデオの画像にタグ付けされる探査される被験者の身体の同じ特定の対象点を、その後の「新しい探査ビデオ」で位置特定させ、これらの仮想タグの重ね合わせによって、同期化されたその後の「新しい探査」ビデオの同じ場所にこれを付加するために、その後の「新しい探査ビデオ」の解析を実現することができる手段をまた備えることを特徴とする、請求項４または請求項５に記載の医療システム。
【請求項７】
その後の探査中に時刻ｔにおけるビデオ画像で管腔位置を解析する画像処理を行い、同様な管腔位置によって「新しい探査」中にその後のライブ位置に近い位置と関連する「基準探査」から画像を選択する手段を備えることを特徴とする、請求項１から６のいずれか一項に記載の医療システム。
【請求項８】
解剖学的および／または病理学的な構造の３Ｄ身体モデルの仮想レンダリングを使った拡張現実技術を用いて、特定の対象点を示す仮想タグによって向上されるかまたはされない、２つの同期化された可撓性内視鏡ビデオを融合することができる手段を備え、この３Ｄモデルが、被験者の身体の「新しい探査」前に実現される術前医用画像から抽出されることを特徴とする、請求項１から７のいずれか一項に記載の医療システム。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
創傷箇所を治療するための創傷治療装置であって、
上面および下面を有し、創傷箇所の周りの皮膚を被覆して配置されるように構成された外周を規定する補強層であって、前記創傷箇所に亘って負圧を維持するように構成された補強層と、
前記補強層の下にあり、少なくとも１つの材料層を備え、前記創傷箇所に負圧を伝えるように構成された第１の部分と、
前記補強層の下にあり、少なくとも１つの材料層を備え、前記第１の部分から負圧を通過させて伝えるように構成されたブリッジ部であって、前記ブリッジ部内の前記少なくとも１つの材料層は、前記第１の部分において対応する寸法または材料構造と比べて、より小さい寸法および異なる材料構造を有するブリッジ部と、
を備えた、創傷治療装置。
【請求項２】
前記補強層の下に配置された創傷接触層であって、前記補強層の外周に沿って前記補強層に封着される創傷接触層をさらに備えた、請求項１に記載の創傷治療装置。
【請求項３】
前記第１の部分の前記少なくとも１つの材料層は、１つまたは複数の透過層を備えた、請求項１または２に記載の創傷治療装置。
【請求項４】
前記１つまたは複数の透過層は、網状開放セル発泡体、織布材、不織布材、立体編み布、Ｂａｌｔｅｘ  ７９７０横編みポリエステル、受入分散材、ＤｒｙＷｅｂ  ＴＤＬ２、ＳｌｉｍＣｏｒｅ  ＴＬ４、およびこれらの組合せからなる群から選択される、請求項３に記載の創傷治療装置。
【請求項５】
前記第１の部分は、吸収層をさらに備えた、請求項１から４のいずれか一項に記載の創傷治療装置。
【請求項６】
前記ブリッジ部は、網状開放セル発泡体、織布材、不織布材、立体編み布、Ｂａｌｔｅｘ  ７９７０横編みポリエステル、受入分散材、ＤｒｙＷｅｂ  ＴＤＬ２、ＳｌｉｍＣｏｒｅ  ＴＬ４、およびこれらの組合せからなる群から選択される少なくとも１つの材料層を備えた、請求項１から５のいずれか一項に記載の創傷治療装置。
【請求項７】
前記ブリッジ部の前記少なくとも１つの材料層は、−６０から−２００ｍｍＨｇの範囲内の設定点に対して、５０ｓｃｃ／分の空気漏洩で、少なくとも−４０ｍｍＨｇの負圧を伝えることができる、請求項１から６のいずれか一項に記載の創傷治療装置。
【請求項８】
前記ブリッジ部の前記少なくとも１つの材料層は、−２００ｍｍＨｇの設定点に対して、５０ｓｃｃ／分の空気漏洩で、約２０ｍｍ±１ｍｍの長さに亘って、約−２５ｍｍＨｇ以下の気圧差になり得る、請求項１から７のいずれか一項に記載の創傷治療装置。
【請求項９】
前記ブリッジ部の前記少なくとも１つの材料層は、−２００ｍｍＨｇの設定点に対して、５０ｓｃｃ／分の空気漏洩で、約２０ｍｍ±１ｍｍの長さに亘って、約−５ｍｍＨｇ以下の気圧差になり得る、請求項１から７のいずれか一項に記載の創傷治療装置。
【請求項１０】
前記ブリッジ部の前記少なくとも１つの材料層は、幅が少なくとも１ｍｍである、請求項１から９のいずれか一項に記載の創傷治療装置。
【請求項１１】
前記ブリッジ部は、前記第１の部分と同じ層を備えた、請求項１から１０のいずれか一項に記載の創傷治療装置。
【請求項１２】
前記ブリッジ部は、前記第１の部分よりも少ない層を備えた、請求項１から１０のいずれか一項に記載の創傷治療装置。
【請求項１３】
前記ブリッジ部の材料層は、前記第１の部分の材料層よりも寸法が小さい、請求項１から１２のいずれか一項に記載の創傷治療装置。
【請求項１４】
前記ブリッジ部の材料層は、前記第１の部分の材料層よりも高さが低い、請求項１から１３のいずれか一項に記載の創傷治療装置。
【請求項１５】
前記ブリッジ部の材料層は、前記第１の部分の材料層よりも幅が狭い、請求項１から１４のいずれか一項に記載の創傷治療装置。
【請求項１６】
前記ブリッジ部の材料層は、前記第１の部分の材料層と幅が等しい、請求項１から１４のいずれか一項に記載の創傷治療装置。
【請求項１７】
前記ブリッジ部は、前記第１の部分を前記第１の部分と同様の重層構造および／または幅を有する隣接部分に接続する、請求項１から１６のいずれか一項に記載の創傷治療装置。
【請求項１８】
第１の部分を複数の隣接部分に接続する複数のブリッジ部を備えた、請求項１７に記載の創傷治療装置。
【請求項１９】
複数の隣接部分を接続する複数のブリッジ部を備えた、請求項１７に記載の創傷治療装置。
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
細長いシャフトと、
複数の細長いケーブルであって、各ケーブルが、前記細長いシャフトを越えて延在し、第一端部と、ステントグラフト人工補綴具のステントの最端クラウンと係合するよう構成された中間部と、前記ステントグラフト人工補綴具を越えて遠位に延在する第二端部とを有する複数の細長いケーブルと、
前記シャフト上に配置されるガイドアセンブリと、
前記シャフトの遠位端部に結合される遠位先端部アセンブリであって、遠位先端部アセンブリ及び前記ガイドアセンブリが互いに対して移動可能であり、遠位先端部アセンブリの一部が前記ガイドアセンブリの遠位部の外表面を越えて近位に延在し、前記ケーブルの第二端部を前記ガイドアセンブリの遠位部の外表面と遠位先端部アセンブリの内表面の間で、遠位先端部アセンブリ及び前記ガイドアセンブリの第一相対位置において拘束し、また、遠位先端部アセンブリが、遠位先端部アセンブリ及び前記ガイドアセンブリの第二相対位置において前記ケーブルの第二端部を拘束しない、前記遠位先端部アセンブリと、
を備えるステントグラフト送達システムであって、
前記遠位先端部アセンブリ及び前記ガイドアセンブリの第一相対位置においては、前記ステントの最端クラウンの漸進的な連続的な拡張のために前記ケーブルの張力を選択的に低下させることができ、前記ステントの最端クラウンの漸進的な連続的な半径方向への収縮のために前記ケーブルの張力を選択的に増大させることができる、
ことを特徴とするステントグラフト送達システム。
【請求項２】
前記ガイドアセンブリが細長いマルチルーメンシャフトを含み、各ケーブルがマルチルーメンシャフトにより画定された複数の管腔の１つを通る、
請求項１に記載のステントグラフト送達システム。
【請求項３】
環状止め具がマルチルーメンシャフトの外表面に結合され、前記環状止め具に対して前記ステントを引くために、前記ケーブルの中間部が前記最端クラウンの周辺を囲む、
請求項２に記載のステントグラフト送達システム。
【請求項４】
前記遠位先端部アセンブリが前記ガイドアセンブリに対して移動する、
請求項３に記載のステントグラフト送達システム。
【請求項５】
前記遠位先端部アセンブリが前記ガイドアセンブリに対して遠位方向に移動し、前記ガイドアセンブリ及び前記遠位先端部アセンブリが第二相対位置にある時に前記ケーブルの第二端部が前記遠位先端部アセンブリの近位にある、
請求項４に記載のステントグラフト送達システム。
【請求項６】
前記ガイドアセンブリがガイド部品を含み、前記ガイド部品のテーパ状の遠位部の外表面上に形成される溝を通じて各ケーブルが延在し、前記ケーブルの中間部が前記ステントグラフト人工補綴具のステントの最端クラウンを越えて延在しかつ前記ステントグラフト人工補綴具のステントの最端クラウンを覆う、
請求項１に記載のステントグラフト送達システム。
【請求項７】
前記ガイドアセンブリが前記遠位先端部アセンブリに対して移動する、
請求項６に記載のステントグラフト送達システム。
【請求項８】
前記ガイドアセンブリが前記遠位先端部アセンブリに対して近位方向に移動し、前記ガイドアセンブリと前記遠位先端部アセンブリが第二相対位置にある時に前記ケーブルの第二端部が前記遠位先端部アセンブリの近位端にある、
請求項７に記載のステントグラフト送達システム。
【請求項９】
前記遠位先端部アセンブリの内表面が前記ガイドアセンブリの外表面上のスレッドと嵌合するスレッドを含み、前記細長いシャフトの回転により前記遠位先端部アセンブリが回転し、結果として前記ガイドアセンブリが長手方向に移動することになる、
請求項８に記載のステントグラフト送達システム。
【請求項１０】
管腔を画定する引き込み可能な外側のシースであって、外側のシースの管腔内で前記細長いシャフトが摺動可能な状態で受ける、前記外側のシースと、
前記細長いシャフト上に配置されかつ前記遠位先端部アセンブリの近位に配置される自己拡張型ステントグラフト人工補綴具であって、前記ステントグラフト人工補綴具が、管状移植片に結合された半径方向に圧縮可能なステントを含み、前記ケーブルの中間部が前記ステントの最端クラウンを選択的に拘束する、前記自己拡張型ステントグラフト人工補綴具と、をさらに備える、
請求項１に記載のステントグラフト送達システム。
【請求項１１】
前記複数のケーブルが第一直径を有する細長いストランドであって、前記ケーブルの第二端部が前記第一直径より長い第二直径を有する、
請求項１に記載のステントグラフト送達システム。
【請求項１２】
細長いシャフトと、
前記細長いシャフト上に配置される自己拡張型ステントグラフト人工補綴具であって、前記ステントグラフト人工補綴具が、管状移植片に結合された半径方向に圧縮可能なステントを含む、前記自己拡張型ステントグラフト人工補綴具と、
各ケーブルが前記細長いシャフトを越えて延在し、第一端部及び前記ステントグラフト人工補綴具を越えて遠位に延在する第二端部を含む、複数の細長いケーブルと、
前記シャフト上に配置されるガイドアセンブリであって、前記ガイドアセンブリの遠位部が前記ケーブルの第二端部を受けるよう構成された前記ガイドアセンブリと、
前記シャフトの遠位端部に結合される遠位先端部アセンブリであり、遠位先端部アセンブリ及び前記ガイドアセンブリが互いに対して移動可能である、前記遠位先端部アセンブリと、を備えるステントグラフト送達システムであり、
前記遠位先端部アセンブリ及び前記ガイドアセンブリの第一相対位置において、前記ケーブルの第二端部を一時的に拘束するために前記遠位先端部アセンブリの近位部が前記ガイドアセンブリの遠位部の外表面を越えて延在し、また各ケーブルの中間部が前記ステントの最端クラウンを拘束することによって前記ケーブルの張力を選択的に調整することができるようになり、前記ステントの最端クラウンの漸進的な連続的な半径方向への拡張及び収縮がいずれも可能になり、
前記遠位先端部アセンブリ及び前記ガイドアセンブリの第二相対位置において、前記遠位先端部アセンブリの近位部が前記ガイドアセンブリの遠位部の外表面を越えて延在せず、前記遠位先端部アセンブリが前記ケーブルの第二端部を拘束せず、各ケーブルの前記中間部が前記ステントの最端クラウンを拘束しない、
ことを特徴とするステントグラフト送達システム。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
患者に又は患者から流体を非経口的に移送するためのデバイスであって、
先端部分及び基端部分を有し、前記先端部分と前記基端部分との間に内腔を規定する針であって、前記先端部分が、先端側表面を有し、かつ、患者への挿入用に構成され、前記基端部分が流体リザーバに流体的に結合可能であるように構成される、針と、
前記針の前記内腔を通じた流体の流れを選択的に制御するように動作可能な閉塞機構であって、患者への挿入中に前記針の前記内腔を閉塞する第１構成と、前記針が患者に挿入された後に前記針の前記内腔が閉塞されずに患者への又は患者からの流体の移送を可能にする第２構成との間において移動するように構成された閉塞機構と、を備え、
前記閉塞機構が、前記針に動作可能に連結された閉塞部材を含み、前記閉塞部材は、第１位置から第２位置へと移動して前記閉塞機構を前記第２構成に配置するように構成され、前記閉塞部材は先端側表面を有し、前記閉塞部材の前記先端側表面は、前記閉塞部材が前記第１位置にある場合に前記針の前記先端側表面と実質的に同一平面上にあり、前記閉塞部材の前記先端側表面は、前記閉塞部材が前記第２位置にある場合に前記針の前記先端側表面と非平行である、デバイス。
【請求項２】
前記閉塞部材が、前記針の少なくとも一部上に移動可能に配置される、請求項１に記載のデバイス。
【請求項３】
前記針が、閉じた先端と、前記針の前記先端部分に配置された前記内腔と流体連通するポートと、を有する、請求項１に記載のデバイス。
【請求項４】
前記ポートが、前記閉塞部材が前記第１位置にある場合に閉塞され、前記閉塞部材が前記第２位置にある場合に実質的に閉塞されない、請求項３に記載のデバイス。
【請求項５】
前記ポートが、前記針の前記先端部分に配置された複数のアパーチャを含む、請求項３に記載のデバイス。
【請求項６】
前記閉塞部材は、前記第１位置から前記第２位置に前記針の周り回転するように構成される、請求項１に記載のデバイス。
【請求項７】
前記閉塞部材は、第１回転位置で前記針の前記先端部分に配置される、請求項６に記載のデバイス。
【請求項８】
前記閉塞部材は、前記第１位置と前記第２位置との間を手動で移動する、請求項１に記載のデバイス。
【請求項９】
前記閉塞部材は、前記第１位置と前記第２位置との間を自動的に移動する、請求項１に記載のデバイス。
【請求項１０】
前記針は、前記流体リザーバに流体的に連結され、前記流体リザーバは、前記閉塞機構が前記第２構成にある場合に、組織及び汚染物質を実質的に含まない流体の流れを患者から受け入れるように構成される、請求項１に記載のデバイス。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
経皮的経管腔装置であって、
シャフト、近位端及び遠位端、並びに長手方向軸を有するカテーテルと、
前記遠位端の近くの位置で前記カテーテルに取付けられる血管形成治療装置と、
前記カテーテルに前記遠位端またはその近位の位置で取付けられ、折り畳み可能な足場を含むフィルタとを備え、前記折り畳み可能な足場は、
前記シャフトの遠位部に共軸で固定的に装着された第１リングと、
前記カテーテルシャフトの前記遠位部に共軸で摺動自在に装着され、前記第１リングに対して接離するよう移動されるよう構成される第２リングと、
複数の第１の支柱部とを含み、前記複数の第１の支柱部の各第１の支柱部は、前記第１リングに結合された第１端と、前記第２リングに向かって延在する第２端とを有し、前記折り畳み可能な足場はさらに、
複数の第２の支柱部を含み、前記複数の第２の支柱部の各第２の支柱部は、前記第２リングに結合された第１端と、前記複数の第１の支柱部の前記第２端と同じ方向に延在する第２端とを有し、
各第１の支柱部の第２端は対応する第２の支柱部の第２端に取付けられ、各接続される第１及び第２の支柱部は全体として支柱を含むようにされ、
複数の支柱を前記第１リング及び前記第２リングの周りの円周方向に間隔を置いて配置することにより前記足場を形成することができ、
前記複数の第２の支柱部は前記複数の第１の支柱部と前記カテーテルとの間に配置され、支柱は、前記第１リング及び前記第２リングが互いに隣接したときに前記支柱がそれ自体に折り畳むように構成される、経皮的経管腔装置。
【請求項２】
前記第２リングは、前記カテーテルの前記長手方向軸に関して前記第１リングに対して遠位にある、請求項１に記載の経皮的経管腔装置。
【請求項３】
前記第２リングは、前記カテーテルの前記長手方向軸に関して前記第１リングに対して近位にある、請求項１に記載の経皮的経管腔装置。
【請求項４】
前記血管形成治療装置は前記カテーテルの前記長手方向軸に関して前記フィルタに対して近位にある、請求項１に記載の経皮的経管腔装置。
【請求項５】
前記血管形成治療装置は前記カテーテルの前記長手方向軸に関して前記フィルタに対して遠位にある、請求項１に記載の経皮的経管腔装置。
【請求項６】
前記血管形成治療装置は血管形成バルーンを含む、請求項１に記載の経皮的経管腔装置。
【請求項７】
前記血管形成治療装置はステントを含む、請求項１に記載の経皮的経管腔装置。
【請求項８】
前記血管形成治療装置は血栓除去装置を含む、請求項１に記載の経皮的経管腔装置。
【請求項９】
前記血管形成治療装置は粥腫切除装置を含む、請求項１に記載の経皮的経管腔装置。
【請求項１０】
前記カテーテルは、前記カテーテルの前記近位端から遠位口に延在するアクチュエータワイヤー管腔をさらに含み、前記装置は、近位端と遠位端とを有するアクチュエータワイヤーをさらに含み、前記アクチュエータワイヤーの少なくとも一部は、前記アクチュエータワイヤー管腔を通って延在し、前記遠位口から出、前記アクチュエータワイヤーの前記遠位端は前記第２リングに結合され、
前記フィルタが折り畳まれた位置にあるときに、前記アクチュエータワイヤーの前記近位端上において引っ張ることは、前記カテーテルの長手方向軸に関して、前記第２リングを前記第１リングから遠ざけるよう移動させる方向において、前記第２リング上に力をかけ、
前記第２リングの前記第１リングから遠ざかる選択的な移動は、前記複数の第２の支柱部よって前記複数の第１の支柱部の第２の端部部分を径方向に拡張させ、それによって前記フィルタを展開した位置に向かって選択的に拡張する、請求項１に記載の経皮的経管腔装置。
【請求項１１】
前記カテーテルは、前記カテーテルの前記近位端から、前記カテーテルシャフトを通って、前記血管形成治療装置内にある遠位のバルーン膨張口に延在するバルーン膨張管腔をさらに含む、請求項１０に記載の経皮的経管腔装置。
【請求項１２】
前記カテーテルは、そこに配置された、前記カテーテルの近位端から遠位端に延在する主管腔をさらに含む、請求項１１に記載の経皮的経管腔装置。
【請求項１３】
前記フィルタはフィルタ膜をさらに含み、前記フィルタ膜は、そこに配置された複数の穴を含む、請求項１に記載の経皮的経管腔装置。
【請求項１４】
前記フィルタはフィルタ膜をさらに含み、前記フィルタ膜は、ポリマー、繊維及び網の少なくとも１つを含む、請求項１に記載の経皮的経管腔装置。
【請求項１５】
前記フィルタは、前記複数の第１の支柱部によって支持されるフィルタ膜をさらに含む、請求項１に記載の経皮的経管腔装置。
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
人工肘であって、
上腕骨及び尺骨の一方に対する取り付けのための第１の軸要素と、
前記上腕骨及び前記尺骨の他方に対する取り付けのための第２の軸要素と、
前記第１の軸要素と前記第２の軸要素との間に配置されて前記第１の軸要素と前記第２の軸要素とを結合し、前記第１の軸要素と前記第２の軸要素との間の第１の軸線周りの相対運動を可能とする接続部と、
該接続部から延びて前記第１の軸線から偏心した回転軸線を有する関節丘と、を具備する人工肘。
【請求項２】
前記関節丘が、第１の関節丘要素と第２の関節丘要素とを含む、請求項１に記載の人工肘。
【請求項３】
前記第１の関節丘要素が、前記第２の関節丘要素に回転可能に取り付けられた、請求項２に記載の人工肘。
【請求項４】
前記第１の関節丘要素が、前記第１の軸線から偏心した回転軸線を有し、前記第２の関節丘要素が、前記第１の軸線と略同心の回転軸線を有する、請求項２に記載の人工肘。
【請求項５】
前記第１の関節丘要素及び前記第２の関節丘要素の一方が、突部を有し、前記第１の関節丘要素及び前記第２の関節丘要素の他方が、前記突部を回転可能に受け入れるように操作可能な凹部を有する、請求項２に記載の人工肘。
【請求項６】
前記突部及び前記凹部の少なくとも一方がテーパ部を有し、前記テーパ部が、第１の状態において前記第１の関節丘要素と前記第２の関節丘要素との間の相対的回転を可能とし、第２の状態において前記第１の関節丘要素と前記第２の関節丘要素との間の相対的回転を制限する、請求項５に記載の人工肘。
【請求項７】
前記突部及び前記凹部が、前記第１の軸線からオフセットされた回転軸線をそれぞれ有する、請求項５に記載の人工肘。
【請求項８】
前記突部及び前記凹部が、前記第１の関節丘要素の中心軸線からオフセットされ、且つ、前記第２の関節丘要素の中心軸線からオフセットされた回転軸線をそれぞれ有する、請求項５に記載の人工肘。
【請求項９】
前記第１の関節丘要素と前記第２の関節丘要素との間に配置された中間関節丘要素を更に具備する、請求項２に記載の人工肘。
【請求項１０】
前記中間関節丘要素が、前記第１の関節丘要素に対して回転可能に取り付けられて前記中間関節丘要素の中心軸線からオフセットされた第１の突部と、前記第２の関節丘要素に対して回転可能に取り付けられて前記中間関節丘要素の前記中心軸線からオフセットされた第２の突部と、を有する、請求項９に記載の人工肘。
【請求項１１】
前記第１の突部及び前記第２の突部が互いにオフセットされた、請求項１０に記載の人工肘。
【請求項１２】
人工肘であって、
上腕骨及び尺骨の一方に対する取り付けのための第１の軸要素と、
前記上腕骨及び前記尺骨の他方に対する取り付けのための第２の軸要素と、
前記第１の軸要素と前記第２の軸要素との間に配置されて前記第１の軸要素と前記第２の軸要素とを結合し、前記第１の軸要素と前記第２の軸要素との間の第１の軸線周りの相対運動を可能とする接続部と、
前記第１の軸要素及び前記第２の軸要素の一方と共に前記第１の軸線周りで回転可能な第１の関節丘要素と、
該第１の関節丘要素に対して第２の軸線周りで回転可能な第２の関節丘要素と、を具備する人工肘。
【請求項１３】
前記第２の軸線が前記第１の軸線から偏心した、請求項１２に記載の人工肘。
【請求項１４】
前記第２の軸線が前記第１の軸線からオフセットされた、請求項１２に記載の人工肘。
【請求項１５】
前記第２の軸線が前記第１の軸線とは異なる請求項１２に記載の人工肘。
【請求項１６】
前記第１の関節丘要素及び前記第２の関節丘要素の一方が、突部を有し、前記第１の関節丘要素及び前記第２の関節丘要素の他方が、前記突部を回転可能に受け入れるように操作可能な凹部を有する、請求項１２に記載の人工肘。
【請求項１７】
前記突部及び前記凹部の少なくとも一方が、テーパ部を有し、該テーパ部が、第１の状態において前記第１の関節丘要素と前記第２の関節丘要素との間の相対的回転を可能とし、第２の状態において前記第１の関節丘要素と前記第２の関節丘要素との間の相対的回転を制限する、請求項１６に記載の人工肘。
【請求項１８】
前記突部及び前記凹部が、前記第１の軸線からオフセットされた回転軸線をそれぞれ有する、請求項１６に記載の人工肘。
【請求項１９】
前記突部及び前記凹部が、前記第１の関節丘要素の中心軸線からオフセットされ、且つ、前記第２の関節丘要素の中心軸線からオフセットされた回転軸線をそれぞれ有する、請求項１６に記載の人工肘。
【請求項２０】
前記第１の関節丘要素と前記第２の関節丘要素との間に配置された中間関節丘要素を更に具備する、請求項１２に記載の人工肘。
【請求項２１】
前記中間関節丘要素が、前記第１の関節丘要素に対して回転可能に取り付けられ、且つ、前記中間関節丘要素の中心軸線からオフセットされた第１の突部と、前記第２の関節丘要素に対して回転可能に取り付けられ、且つ、前記中間関節丘要素の前記中心軸線からオフセットされた第２の突部と、を有する、請求項２０に記載の人工肘。
【請求項２２】
前記第１の突部及び前記第２の突部が互いにオフセットされた、請求項２１に記載の人工肘。
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
患者体内の動脈瘤を治療するシステムであって、前記システムは、
前記患者体内に移送し、拡張するように適合した拡張性部材；
前記拡張性部材内部の空間と流体連通するか又は前記拡張性部材に直接至る管；
それぞれが末端官能基を有する第１の水溶性ポリマー前駆体及び第２の水溶性ポリマー前駆体、並びに任意選択で開始剤触媒を含む流動性水溶液；並びに
粉体状で前記流動性水溶液の中に溶解させる熱活性化低温フリーラジカル開始剤
を備え、前記溶液及び前記開始剤は、前記拡張性部材内部の空間に実質的に非生分解性の固体材料を原位置で生成するために、前記水溶性ポリマー前駆体上の前記官能基を共有結合させるように適合する、システム。
【請求項２】
前記拡張性部材から上流の前記管内に配置した、上流側及び下流側を有するフィルタ
を更に備える、請求項１に記載のシステムであって、前記フリーラジカル開始剤は、前記流動性水溶液が前記フィルタを通過すると前記フリーラジカル開始剤が前記流動性水溶液中に溶解するように、前記フィルタの前記上流側に配置する、システム。
【請求項３】
前記フリーラジカル開始剤は、前記フィルタの前記上流側に固定する、請求項２に記載のシステム。
【請求項４】
前記フリーラジカル開始剤は、前記拡張性部材内に配置し、それにより、前記フリーラジカル開始剤は、前記流動性水溶液が前記拡張性部材に入ると前記流動性水溶液中に溶解する、請求項１に記載のシステム。
【請求項５】
前記拡張性部材と流体連通する容器
を更に備える、請求項１に記載のシステムであって、前記フリーラジカル開始剤は、前記容器内に配置し、前記容器は、前記流動性水溶液の一部を前記拡張性部材から前記容器内に引き抜くように適合され、それにより、前記フリーラジカル開始剤は前記流動性水溶液中に溶解し、得られた混合溶液は前記拡張性部材に再度導入する、システム。
【請求項６】
前記流動性水溶液は、第１の原料溶液と第２の原料溶液との混合液であり、前記第１の原料溶液は、前記第１の水溶性ポリマー前駆体を含み、前記第２の原料溶液は、前記第２の水溶性ポリマー前駆体を含む、請求項１に記載のシステム。
【請求項７】
前記フリーラジカル開始剤と接触させる前に、前記第１の原料溶液及び前記第２の原料溶液を中で混合するマニホルド
を更に備える、請求項６に記載のシステムであって、前記マニホルドは、任意選択で、統合したフィルタを含む、システム。
【請求項８】
前記フリーラジカル開始剤は、過硫酸ナトリウム、過硫酸カリウム又は過硫酸アンモニウムである、請求項１に記載のシステム。
【請求項９】
前記第１の水溶性ポリマー前駆体は、線状ポリマー前駆体であり、前記第２の水溶性ポリマー前駆体は、分岐状ポリマー前駆体である、請求項１に記載のシステム。
【請求項１０】
前記第１の水溶性ポリマー前駆体は、２つのアクリル酸基で末端を誘導体化した、約２０から約５０キロダルトンの間の分子量を有する線状ポリエチレングリコールであり、前記第２の水溶性ポリマー前駆体は、３つのアクリル酸基で末端を誘導体化した、約８００ダルトンから１．２キロダルトンの分子量を有する分岐状ポリエチレングリコールオリゴマーである、請求項９に記載のシステム。
【請求項１１】
前記分岐状ポリマー前駆体対前記線状ポリマー前駆体のモル比は、約２００：１から約１０００：１の間である、請求項９に記載のシステム。
【請求項１２】
前記分岐状ポリマー対前記フリーラジカル開始剤のモル比は、約２：１から約１５：１の間である、請求項１に記載のシステム。
【請求項１３】
前記フリーラジカル開始剤及び前記開始剤触媒は、約１：１のモル比で存在する、請求項１に記載のシステム。
【請求項１４】
前記第１の原料溶液又は前記第２の原料溶液のいずれかは、前記開始剤触媒を含む、請求項６に記載のシステム。
【請求項１５】
動脈瘤の治療に使用する拡張性部材の体積を増大させることによって植込み体を形成する方法であって、
ａ．それぞれが末端官能基を有する第１の水溶性ポリマー前駆体及び第２の水溶性ポリマー前駆体、並びに任意選択で開始剤触媒を含む流動性水溶液を、前記拡張性部材内部の空間と連通する管に導入するか、又は前記拡張性部材内に直接導入すること；
ｂ．前記ステップ（ａ）からの前記流動性水溶液に、粉体状の熱活性化低温フリーラジカル開始剤を導入すること；
ｃ．前記フリーラジカル開始剤を前記流動性水溶液中に溶解させること；
ｄ．前記ステップ（ａ）において、前もって前記開始剤触媒を導入しなかった場合は、前記ステップ（ｃ）からの前記溶液に前記開始剤触媒を導入すること；並びに
ｅ．前記拡張性部材内部の空間に実質的に非生分解性の固体材料を生成するために、前記水溶性ポリマー前駆体上の官能基を共有結合させること
を含む方法。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
注入システムであって、
作動液リザーバと、
一定長さのチューブを通して作動流体リザーバから供給される作動液に力を付与するように構成された送出機構と、
を含む送出アセンブリと、
前記一定長さのチューブを通して前記作動液リザーバと流体連通するように構成された入口ポートを有する第１の流体室と、
患者側拡張セットと流体連通するように構成された出口ポートを有する第２の流体室と、
前記第１の流体室を前記第２の流体室からシールする可撓性の可動仕切りと、
を含む液圧アセンブリと、を含み、
前記液圧アセンブリは、第１の可撓性層、第２の可撓性層および第３の可撓性層によって形成されるバッグを含み、前記第１の可撓性層および前記第２の可撓性層を周辺シールすることで前記第１の流体室が形成され、前記第２の可撓性層および前記第３の可撓性層を周辺シールすることで前記第２の流体室が形成され、前記第２の可撓性層が前記可撓性の可動仕切りであることを特徴とするシステム。
【請求項２】
前記送出機構によって付与される前記力により、前記作動液リザーバから前記一定長さのチューブを通して前記第１の流体室内に前記作動液を流入させて前記仕切りを移動させることで、注入液が前記出口ポートを通して前記第２の流体室から流出することを特徴とする請求項１に記載のシステム。
【請求項３】
前記仕切りは、前記仕切りの近位側に配置された前記第１の流体室と前記仕切りの遠位側に配置された前記第２の流体室との間で摺動可能に配置されることを特徴とする請求項１または２に記載のシステム。
【請求項４】
前記第１の流体室内に流入された流体により、前記仕切りが遠位方向に移動して、前記第２の流体室中に含まれる注入液が前記出口ポートを通じて送達されることを特徴とする請求項１〜３のいずれかに記載のシステム。
【請求項５】
前記液圧アセンブリは、シリンジバレルを有するシリンジアセンブリを含み、前記仕切りは、前記シリンジバレル内に配置されることを特徴とする請求項１〜４のいずれかに記載のシステム。
【請求項６】
前記仕切りへ可逆的に接続されかつ取り外し可能なハンドルを有するプランジャーをさらに含むことを特徴とする請求項１〜５のいずれかに記載のシステム。
【請求項７】
前記第１の流体室の近位端に接続されかつ当該近位端をシールするキャップをさらに含むことを特徴とする請求項１〜６のいずれかに記載のシステム。
【請求項８】
前記キャップは、前記第１の流体室の内面内に延びかつ当該内面をシールするように構成されたステム部を含むことを特徴とする請求項７に記載のシステム。
【請求項９】
前記入口ポートは、前記キャップを貫通して延びることを特徴とする請求項７または８に記載のシステム。
【請求項１０】
前記キャップは、ベントフィルターをさらに含むことを特徴とする請求項７〜９のいずれかに記載のシステム。
【請求項１１】
前記送出アセンブリは、１つまたは複数の圧力センサーをさらに含むことを特徴とする請求項１〜１０のいずれかに記載のシステム。
【請求項１２】
前記送出アセンブリは、前記システムの動作に関する情報を提供する１つまたは複数の視覚的表示器をさらに含むことを特徴とする請求項１〜１１のいずれかに記載のシステム。
【請求項１３】
前記１つまたは複数の視覚的表示器は、前記システムの１つまたは複数のコンポーネントを照射する１つまたは複数のＬＥＤを含むことを特徴とする請求項１２に記載のシステム。
【請求項１４】
前記１つまたは複数のＬＥＤは、色により注入状態を示すことを特徴とする請求項１３に記載のシステム。
【請求項１５】
前記一定長さのチューブは、低コンプライアンスチューブであることを特徴とする請求項１〜１４のいずれかに記載のシステム。
【請求項１６】
前記液圧アセンブリは、前記送出アセンブリに可逆的に結合されることを特徴とする請求項１〜１５のいずれかに記載のシステム。
【請求項１７】
前記患者側拡張セットは、６インチ未満であることを特徴とする請求項１〜１６のいずれかに記載のシステム。
【請求項１８】
前記患者側拡張セットは、プライミング量が約０．７ｍＬ未満であることを特徴とする請求項１〜１７のいずれかに記載のシステム。
【請求項１９】
前記液圧アセンブリは、内部に前記バッグが封入される剛性の固定容積ハウジングをさらに含むことを特徴とする請求項１に記載のシステム。
【請求項２０】
前記ハウジングは、前記バッグに対して一定容積を維持することを特徴とする請求項１９に記載のシステム。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
入力供給電圧と、前記入力供給電圧の第1の端子と第2の端子との間で前記入力供給電圧と並列に接続されている、直列に接続された第1のスイッチおよび第2のスイッチと、前記第1のスイッチと並列に接続されている、直列に接続された第3のスイッチおよびキャパシタと、前記第3のスイッチと前記キャパシタとの接続部と出力との間に接続された第4のスイッチと、前記出力と前記入力供給電圧の端子との間に接続された第5のスイッチと、を備える電圧供給段であって、
動作の第1段階では、前記第1および前記第4のスイッチが閉じられ、前記第2、第3、および第5のスイッチが開き、
動作の第2段階では、前記第2、第3、および第5のスイッチが閉じられ、前記第1および第4のスイッチが開き、
前記第1段階および第2段階のデューティサイクルが、前記出力の平均電圧が0ボルトと前記入力供給電圧の2倍との間で変わるように制御される、電圧供給段。
【請求項２】
ピーク電流モードスイッチャを備える請求項1に記載の電圧供給段。
【請求項３】
前記第3のスイッチと前記キャパシタとの前記接続部とさらなる出力との間に接続された第6のスイッチ、および前記さらなる出力と前記入力供給電圧の前記端子との間に接続された第7のスイッチをさらに備え、
前記動作の第1段階では、前記第6のスイッチが閉じられ、前記第7のスイッチが開き、
前記動作の第2段階では、前記第6のスイッチが開き、前記第7のスイッチが閉じられ、
前記第1段階および第2段階の前記デューティサイクルが、前記さらなる出力の前記平均電圧が0ボルトと前記入力供給電圧の2倍との間で変わるように制御される、請求項1に記載の電圧供給段。
【請求項４】
第1、第2、および第3のスイッチが前記第4および第5のスイッチまたは前記第6および第7のスイッチによってイネーブルおよびディスエーブルにされる請求項3に記載の電圧供給段。
【請求項５】
降圧のみの動作モードでは、動作の前記第1段階と第2段階の両方で、前記第2および第3のスイッチが閉じられ、前記第1のスイッチが開き、前記動作の第1段階および第2段階で残りのスイッチの前記デューティサイクルが、前記出力および/またはさらなる出力の前記平均電圧が0ボルトと前記入力供給電圧との間で変わるように制御される請求項1に記載の電圧供給段。
【請求項６】
降圧動作モードをイネーブルにするおよびディスエーブルにするための制御信号が提供される請求項5に記載の電圧供給段。
【請求項７】
前記出力もしくは前記さらなる出力のうちの1つまたは低周波基準信号をしきい値レベルと比較し、それに応じて前記制御信号をセットまたはリセットするための回路をさらに備える請求項6に記載の電圧供給段。
【請求項８】
基準信号に応じて変調された供給電圧を生成するように構成され、前記基準信号における低周波変動を追跡するためのおよび請求項1に記載の電圧供給段を含むスイッチドモード電源を含む低周波経路と、前記基準信号における高周波変動を追跡するためのおよび線形増幅器を含む補正経路と、前記スイッチドモード電源の前記出力と前記線形増幅器の前記出力とを結合させて、変調された供給電圧を生成する結合器とを備える、包絡線追跡変調電源。
【請求項９】
前記補正経路の前記線形増幅器が前記基準信号中の周波数の全スペクトルを含む信号を増幅するように、前記線形増幅器の出力から前記線形増幅器の入力へのフィードバック経路が設けられる、請求項8に記載の包絡線追跡変調電源。
【請求項１０】
さらなる出力が前記補正経路の電源を提供する、請求項8に記載の包絡線追跡変調電源。
【請求項１１】
前記低周波経路がピーク電流モードスイッチャを備える、請求項8に記載の包絡線追跡変調電源。
【請求項１２】
請求項1に記載の電圧供給段を含むRF増幅器。
【請求項１３】
請求項1に記載の電圧供給段を含むワイヤレス通信システム。
【請求項１４】
請求項1に記載の電圧供給段を含むワイヤレスモバイルデバイス。